(57)【特許請求の範囲】
【請求項１】
放射線遮蔽効果を有するトラック用荷台を製造する方法であって、
トラック用荷台の底面を形成する矩形状の床部をつくる工程と、
前記底面上の左右の周縁近傍において前記底面に対して垂直に矩形状の側面壁を取り付ける工程と、
前記底面上の前方の周縁近傍において前記底面に対して垂直に矩形状の前面壁を取り付ける工程と、
前記底面上の後方の周縁近傍において前記底面に対して垂直に矩形状の後面壁を取り付ける工程と、
前記前面壁、前記後面壁及び前記側面壁の外壁のうち少なくとも１つの外壁において、少なくとも前記底面と接触する下縁以外の周縁に沿って突出するように外壁フレームを取り付ける工程と、
前記少なくとも１つの外壁の下にある前記床部の縁に床部フレームを取り付ける工程と、
前記外壁フレーム及び前記床部フレームを含む矩形フレームに囲まれた前記少なくとも１つの外壁上に、放射線遮蔽効果を有する物質を含む放射線遮蔽部材を配置する工程と、
前記矩形フレーム及び前記放射線遮蔽部材を覆うカバー材を取り付ける工程と、を含むトラック用荷台製造方法。
【請求項２】
前記床部の縁に床部フレームを取り付ける工程は、前記床部フレームの外面が、前記外壁フレームの外面と同一平面上となるように床部フレームを取り付ける、請求項１に記載の製造方法。
【請求項３】
前記製造方法は、配置された前記放射線遮蔽部材を上から押さえる補強材を、前記矩形フレームの対辺間を連結するように、かつ前記矩形フレームの外面と前記補強材の外面が同一平面上となるように前記矩形フレームに取り付ける工程を含む、請求項２に記載の製造方法。
【請求項４】
前記放射線遮蔽部材は、繊維及び樹脂を含み放射線遮蔽効果を有する物質を含有する放射線遮蔽用シートを、一対の金属枠間に挟み込み、かつ前記金属枠及び前記金属枠に挟まれた前記放射線遮蔽用シートに固定具を貫通させて機械的に固定したものである、請求項１から３のいずれか１項に記載の製造方法。
【請求項５】
前記金属枠は格子状の金属枠である、請求項４に記載の製造方法。
【請求項６】
前記製造方法は、前記側面壁の内壁に少なくとも１つの支柱を取り付ける工程を含む、請求項１から５のいずれか１項に記載の製造方法。
【請求項７】
前記製造方法は、前記矩形フレームが取り付けられた外壁に対向する内壁を覆うように、前記荷台の内側に放射線遮蔽性を有する金属厚板を配置する工程を含む、請求項１から６のいずれか１項に記載の製造方法。
【請求項８】
前記前面壁に配置される前記放射線遮蔽部材は、前記後面壁及び前記側面壁に配置される前記放射線遮蔽部材に比して厚く構成される、請求項１から７のいずれか１項に記載の製造方法。
【発明の詳細な説明】
【技術分野】
【０００１】
本発明は、除染によって発生した除去土壌等を運搬するために必要な、放射線遮蔽効果を有する車両荷台の製造方法に関する。
【背景技術】
【０００２】
現在、放射線で汚染された場所でいわゆる除染作業が行われている。除染によって発生した除去土壌等は、運搬車等によって仮置場等に運搬される。除去土壌を収集・運搬する際には、除去土壌に含まれる放射性物質が人の健康や生活環境に被害を及ぼすことを防ぐため、安全対策が求められる。これに関して、平成２３年に環境省より「除去土壌の収集・運搬に係るガイドライン」を含む「除染関係ガイドライン」が策定された。本ガイドラインでは主に、除去土壌の積込みや荷降ろし、運搬の際に、放射性物質が飛散したり流出したりしないようにすること、収集・運搬している除去土壌からの放射線による公衆の被ばくを抑えることが求められ、それに伴い運搬車の放射線防護の要件も策定された。すなわち、除去土壌等を運搬するトラック等の運搬車の荷台は、ガイドラインに則り適切に放射線を遮蔽する必要がある。このように放射線遮蔽のニーズが高まるにつれて、様々な会社が放射線遮蔽用シートを製造販売している。例えば放射線遮蔽用シートとしては、特許文献１に示すものがある。
【先行技術文献】
【特許文献】
【０００３】
【特許文献１】特許第４７５７６４９号
【発明の概要】
【発明が解決しようとする課題】
【０００４】
しかしながら、市販の放射線遮蔽用シートは加工容易性を目的として作成されたものが多いため一般的には剛性が低く、また溶接して取り付けられる程度の耐熱性を有していないため、車両荷台への取り付けが難しい。放射線遮蔽用シートを袋状にして車両荷台全体を覆うことも考えられるが、必要となるシートの大きさや強度を考慮すると、実現は難しい。また一般的な車両荷台の製造方法との相違点が多く、放射線遮蔽効果を要しない車両荷台と並行して製造するのは、現実的ではない。一方、放射線遮蔽板も市販されているが、放射線遮蔽用シートと比較して重量が大きく、重量制限のある車両荷台への取り付けには適しておらず、さらに高価であるため、現実的に車両荷台への取り付けを行うのは難しい。
【０００５】
本発明は、かかる状況に鑑み、市販の放射線遮蔽用シートを用いて放射線遮蔽効果を有する車両荷台の製造方法を提供する。
【課題を解決するための手段】
【０００６】
上記の課題は以下の特徴を有する本発明によって解決される。すなわち本発明の一態様としてのトラック用荷台製造方法は、放射線遮蔽効果を有するトラック用荷台を製造する方法であって、トラック用荷台の底面を形成する矩形状の床部をつくる工程と、上記底面上の左右の周縁近傍において上記底面に対して垂直に矩形状の側面壁を取り付ける工程と、上記底面上の前方の周縁近傍において上記底面に対して垂直に矩形状の前面壁を取り付ける工程と、上記底面上の後方の周縁近傍において上記底面に対して垂直に矩形状の後面壁を取り付ける工程と、上記前面壁、上記後面壁及び上記側面壁の外壁のうち少なくとも１つの外壁において、少なくとも上記底面と接触する下縁以外の周縁に沿って突出するように外壁フレームを取り付ける工程と、上記少なくとも１つの外壁の下にある上記床部の縁に床部フレームを取り付ける工程と、上記外壁フレーム及び上記床部フレームを含む矩形フレームに囲まれた上記少なくとも１つの外壁上に、放射線遮蔽効果を有する物質を含む放射線遮蔽部材を配置する工程と、上記矩形フレーム及び上記放射線遮蔽部材を覆うカバー材を取り付ける工程と、を含むトラック用荷台製造方法である。
【０００７】
本発明の一態様として、上記床部の縁に床部フレームを取り付ける工程は、上記床部フレームの外面が、上記外壁フレームの外面と同一平面上となるように床部フレームを取り付ける。当該態様によれば、カバー材により放射線遮蔽部材をさらに密閉して取り付けることができる。
【０００８】
本発明の一態様としてのトラック用荷台製造方法は、配置された上記放射線遮蔽部材を上から押さえる補強材を、上記矩形フレームの対辺間を連結するように、かつ上記矩形フレームの外面と上記補強材の外面が同一平面上となるように上記矩形フレームに取り付ける工程を含む。当該態様によれば、放射線遮蔽部材をさらに固定して取り付けることができる。
【０００９】
本発明の一態様としての放射線遮蔽部材は、繊維及び樹脂を含み放射線遮蔽効果を有する物質を含有する放射線遮蔽用シートを、一対の金属枠間に挟み込み、かつ上記金属枠及び上記金属枠に挟まれた上記放射線遮蔽用シートに固定具を貫通させて機械的に固定したものである。また本発明の一態様としての金属枠は格子状の金属枠である。これらの態様によれば、剛性の低い放射線遮蔽用シートを放射線遮蔽部材として使用することができる。
【００１０】
本発明の一態様としてのトラック用荷台製造方法は、上記側面壁の内壁に少なくとも１つの支柱を取り付ける工程を含む。当該態様によれば、荷台側面の側煽の強度を高めることができる。
【００１１】
本発明の一態様としてのトラック用荷台製造方法は、上記矩形フレームが取り付けられた外壁に対向する内壁を覆うように、上記荷台の内側に放射線遮蔽性を有する金属厚板を配置する工程を含む。当該態様によれば、放射線遮蔽部材により遮蔽できない恐れのある放射線も遮蔽することができる。
【００１２】
本発明の一態様として、上記前面壁に配置される上記放射線遮蔽部材は、上記後面壁及び上記側面壁に配置される上記放射線遮蔽部材に比して厚く構成される。当該態様によれば、荷台前面に面した運転席への放射線を最も多く遮蔽する構成とすることができる。
【発明の効果】
【００１３】
本発明により、一般的な車両荷台において市販の放射線遮蔽用シートを用いて放射線遮蔽効果を有する車両荷台の製造方法を提供することができる。
【図面の簡単な説明】
【００１４】
【図１ａ】本発明の１つの実施形態に係る放射線遮蔽体の正面図である。
【図１ｂ】本発明の１つの実施形態に係る放射線遮蔽体の側面図である。
【図１ｃ】本発明の１つの実施形態に係る放射線遮蔽体における固定具の拡大図である。
【図２ａ】本発明の１つの実施形態に係るフレームが取り付けられたトラック荷台前面壁外側の正面図の概観を示す図である。
【図２ｂ】本発明の１つの実施形態に係るフレームが取り付けられたトラック荷台前面壁外側の斜視図の概観を示す図である。
【図３ａ】本発明の１つの実施形態に係るトラック荷台前面壁外側への放射線遮蔽体取り付けの概要を示す図である。
【図３ｂ】本発明の１つの実施形態に係る放射線遮蔽体を取り付けたトラック荷台前面壁外側を示す図である。
【図３ｃ】本発明の１つの実施形態に係る放射線遮蔽体を取り付けたトラック荷台側面壁外側を示す図である。
【図３ｄ】図３ｃにおける断面Ａ−Ａ´の概略を示す図である。
【図３ｅ】図３ｃにおける断面Ｂ−Ｂ´の概略を示す図である。
【図４ａ】本発明の１つの実施形態に係るトラック荷台床面を前後方向で切断したときの断面の概略を示す図である。
【図４ｂ】本発明の１つの実施形態に係るトラック荷台床面を車幅方向で切断したときの断面の概略を示す図である。
【図４ｃ】本発明の１つの実施形態に係る荷台床面全体概要を示す図である。
【図５】本発明の１つの実施形態に係る放射線遮蔽用シートを取り付けた天蓋を示す図である。
【図６】本発明の１つの実施形態に係る箱型荷台を有するトラックの外観を示す図である。
【発明を実施するための形態】
【００１５】
［概要］
これより図面を参照して、本発明に係る放射線遮蔽効果を有するトラック用荷台について説明する。一般的なトラックは、その後部に箱型のトラック用荷台を搭載する。本発明においては、このような一般的なトラックに使用されるトラック用荷台を用いる。本実施例においてはトラック用荷台について説明するが、その他の車両荷台に対しても実施することができる。
【００１６】
［放射線遮蔽体の作成］
本発明においては、トラック用荷台の放射線遮蔽のために市販の放射線遮蔽用シート等の放射線遮蔽部材を用いる。例えば放射線遮蔽用シートとしては、高強力ポリエステル繊維織物（補強層）と特殊無機化合物含有樹脂（ラミネート層）で構成されるユニチカ（登録商標）製の放射線遮蔽防水シートを用いる。当該放射線遮蔽防水シートの物性は、例えば、幅１３０ｃｍ、重量３７００ｇ／ｍ2、厚み２．０ｍｍ、引張強力（縦）１８５３Ｎ／３ｃｍ、引張強力（横）１５４５Ｎ／３ｃｍ、切断伸度（縦）１８．１％、切断伸度（横）３０．８％、引裂強力（縦）１４７Ｎ、引裂強力（横）２０３Ｎである。また当該放射線遮蔽防水シートを用いたＧｅ半導体検出器によるＣｓ１３７及びＣｓ１３４の遮蔽効果は、以下の通りである。
0005943365.tif 000002
【００１７】
荷台の積荷の放射線を遮蔽するために、トラック用荷台の前面、後面、側面、床面、及び天蓋において必要とされる遮蔽量に応じて必要となる数量の放射性遮蔽性シートを取り付ける。上記遮蔽効果を考慮すると、例えば前面に１０枚、後面に５枚、側面に５枚、床面に３枚、天蓋に２枚の放射線遮蔽用シートを使用する。前面に放射線遮蔽用シートを多く使用するのは、荷台の前面が運転席に面しているためである。しかし前述の通り上記放射線遮蔽用シートは剛性が低く、また溶接して取り付けられる程度の耐熱性を有していないため、トラック用荷台への取り付けが難しい。そのため少なくとも前面、後面、及び側面においては、当該放射線遮蔽用シートを用いて剛性が高い放射線遮蔽体を以下の通り作成する。床面及び天蓋においては、後述の通り、構造上放射線遮蔽用シートのまま取り付けられうるため、必ずしも以下の放射線遮蔽体は必要とならない。
【００１８】
図１ａに１つの実施形態に係る放射線遮蔽体１の正面図を示す。図１ａに示す格子状の金属枠４を２つ用いて、遮蔽量に応じて必要となる数量の放射線遮蔽用シート２を挟み込む。金属枠４は放射線遮蔽用シート２を挟みこめる形状であればよく、放射線遮蔽用シート２の周縁に沿った矩形状の枠でもよい。金属枠４は、例えば鉄製の金属が使用される。
【００１９】
図１ｂに１つの実施形態に係る放射線遮蔽体１の側面図を示す。前述の通り２つの金属枠４で放射線遮蔽用シート２を挟んだまま、図１ｂに示すようにボルト等の固定具６により金属枠４を固定することで放射線遮蔽体１を作成する。固定方法については、拡大図の図１ｃに示すように、固定具６を放射線遮蔽用シート２に貫通させて２つの金属枠４に機械的に固定することにより行う。固定具６は、図１ａ、図１ｂに示すように、複数箇所に取り付ける。このように金属枠４と放射線遮蔽用シート２を一体とすることで、トラック用荷台へ取り付けるのに十分に高い剛性を有する放射線遮蔽体１を作成することができる。結果的に当該放射線遮蔽体１は、市販されている放射線遮蔽板と比較して軽く、そして安価に作成することができる。
【００２０】
［放射線遮蔽部材の取り付け］
最初に本発明において使用するトラック用荷台について説明する。トラック用荷台には、上方が開放された無蓋の荷台、屋根を備え周囲が密閉された６面体の箱型荷台等がある。一般的な箱型荷台はアルミニウム、鉄又はステンレスなどを材料とし、内側も外側も実質的に平坦な壁面を有する。また通常は、荷台側面の側煽にはベースの鉄板を取り付けるとともに、さらに荷台の強度を高めるために、その側煽の外側に縦桟が取り付けられる。内側は砂利等の荷物を収容するため、実質的に平坦な壁面である。本発明においては、放射線遮蔽体を外側から取り付けるため、縦桟を内側に取り付け、荷台側面の外側壁面を平らにした。ここで当該荷台の積荷の対象が汚染土壌の入った袋（フレキシブルコンテナ）であるため、内側に縦桟を取り付けることは問題とならない。なお本発明においては、運搬物の性質に鑑み、錆防止の観点から、箱型荷台の材料にステンレスを用いるのが好ましい。
【００２１】
ここで放射線遮蔽体を外側から取り付けるための箱型荷台の製造方法について説明する。最初に通常のトラックと同様に、矩形状の床部をつくる。当該床部は、箱型荷台の実質的に平坦な底面を形成する。当該底面上にはベースとなる床板を取り付ける。続いて箱型荷台の前面壁、後面壁、及び側面壁を形成するベースとなる矩形状の外板を底面に対して略垂直方向に取り付ける。これらの外板は、底面上の周縁に取り付けてもよいが、好ましくは底面上の周縁よりも少し内側に取り付ける。これは、後述するように、放射線遮蔽体を配置する空間を確保するためである。したがって、側面壁は底面の左右の周縁近傍において、周縁に沿って略平行に、かつ底面に対して略垂直に外板を取り付けることで形成される。同様に、前面（後面）壁は底面の前方（後方）の周縁近傍において、周縁に沿って略平行に、かつ底面に対して略垂直に外板を取り付けることで形成される。前面壁、後面壁、及び側面壁を形成する外板は、実質的に同じ高さを有するように取り付ける。前面壁、後面壁、及び側面壁を形成する外板内側においては、前面壁、後面壁、及び側面壁に取り付けられた放射線遮蔽体が床面との隙間において遮蔽できない放射線を遮蔽するため、床板上に放射線遮蔽材を取り付ける。また荷台の強度を高めるために、外板内側の上部と下部に外板枠を取り付け、当該外板枠を連結するように前端と後端には支柱を取り付け、外板内側の前後端以外の部分には一定の間隔を置いて中支柱を取り付ける。なお外板枠は、例えばコの字状の鋼材等であり溶接により取り付けられる。なお、錆防止の観点から床板、外板、外板枠、支柱及び中支柱にはステンレスを用いるのが好ましい。天蓋については、後述する。
【００２２】
前面壁外側への放射線遮蔽体１の取り付けについて説明する。まず放射線遮蔽体１を取り付けるために、実質的に平坦な外板１０へフレーム８を取り付ける。前面壁外側へフレームを取り付けた正面図、斜視図の概観をそれぞれ図２ａ、図２ｂに示す。これらの図に示す通り、前面壁外側の上縁にフレーム８−１を、左右の縁にフレーム８−２を取り付ける。下縁に関しては、前述の通り床部を外板より少し突出させているため、床部にフレーム８−３を取り付ける。好ましくは、フレーム８−１、フレーム８−２、及びフレーム８−３の外面は、実質的に同一平面上である。また好ましくは、これらフレームは例えばスチール等の折り曲げた鋼材であって、溶接によって取り付ける。
【００２３】
図３ａは、前面壁外側への放射線遮蔽体１取り付けの概要を示す図である。図３ａに示すように、フレーム取り付けにより形成された凹部へ、放射線遮蔽体１を配置する。したがって、放射線遮蔽体１は、形成される凹部を覆う大きさであることが好ましい。同様に図３ａに示すように、配置した放射線遮蔽体１を転倒させないようにするために、放射線遮蔽体の上から補強材１２の鋼材を取り付ける。補強材１２はフレーム８の対辺間を連結するように取り付けて、放射線遮蔽体１を凹部から出ないようにする。例えばフレーム８−１とフレーム８−３を連結するように取り付ける。なお補強材１２は溶接によって取り付けるが、補強材１２の少なくとも１箇所を予め金属枠４に溶接して取り付けておくことで、放射線遮蔽体１の配置を円滑に行うことができる。また、補強材１２の外面がフレーム８の外面と実質的に同一平面上になるように、補強材１２を取り付ける。続いて図３ａに示すように、フレーム８と補強材１２をアルミニウム平板等のカバー材１４にて覆い、カバー材１４の上からフレーム８にポップリベット等の固定部材１６を貫通させて固定する。このようにカバー材１４で覆うため、フレーム８と補強材１２の外側表面が実質的に同一平面上であることが好ましい。なお放射線遮蔽体１の代わりに他の放射線遮蔽部材を用いる場合において、補強材１２を取り付けず、直接カバー材で覆うこともできる。
【００２４】
図３ｂは、放射線遮蔽体１を取り付けた前面壁外側を示す。説明のため、荷台前面壁外側の左側半分のみ、固定部材１６により取り付けられたカバー材１４を示す。また後面壁外側への放射線遮蔽体１の取り付けについては、前面壁外側への取り付けと同様である。
【００２５】
図３ｃは、放射線遮蔽体１を取り付けた側面壁外側の前半分を示す。説明のため、荷台側面壁外側の前側半分のみ、固定部材１６により取り付けられたカバー材１４を示す。図３ｃに示す通り、前面壁の外側とほとんど同様の構成であるが、側面壁の周縁以外に、高さ方向に延びるフレーム８−４を取り付ける点で異なる。フレーム８−４は、好ましくは側面壁における長手方向の中央付近に取り付ける。これは、側面壁の長手方向の長さが前面壁の長手方向の長さと比較して大きく、側面壁の長手方向の長さに対応した放射線遮蔽体を作成し、また配置するのは困難であるためである。
【００２６】
さらに図３ｃにおける断面Ａ−Ａ´、Ｂ−Ｂ´の概略を図３ｄ、図３ｅにそれぞれ示す。図３ｄ、図３ｅに示す通り、放射線遮蔽体１は、フレーム８により形成された空間内において、前面壁外板１０の外壁と補強材１２によって挟まれて支持されている。図３ｄでは、放射線遮蔽体１は、フレーム８−１及びフレーム８−３に囲まれた空間内において支持されているのが確認できる。また側面壁と底面との間において放射線遮蔽体１ではカバーできない放射線を遮蔽するために、床板１８上に放射線遮蔽材２０が取り付けられ、側面壁外板１０の上部と下部に外板枠２２が取り付けられ、外板枠２２の間に支柱２４（中支柱を含む）が取り付けられているのが確認できる。上部の外板枠２２は踏み板としても使用されうる。図３ｅでは、放射線遮蔽体１は、フレーム８−２及びフレーム８−４に囲まれた空間内において支持されているのが確認できる。また側面壁と後面壁との間及び側面壁のフレーム８−４において放射線遮蔽体１ではカバーできない放射線を遮蔽するために、放射線遮蔽材２０が取り付けられ、側面壁外板１０の内側に支柱２４及び中支柱２４が取り付けられているのが確認できる。放射線遮蔽材２０は、放射線遮蔽性を有する金属厚板であって、例えばステンレスフラットバーである。
【００２７】
荷台床面への放射線遮蔽シート２の取り付けについて説明する。好ましくは、荷台床面においては、放射線遮蔽体１は用いずに放射線遮蔽用シート２をそのまま使用する。図４ａは、床面を前後方向で切断したときの断面の概略図を示すものであり、その取り付けの全体概要を示している。まず実質的に平坦な床板１８上に、車幅方向と略平行方向に延びる補強材２６を取り付ける。続いて補強材２６と前面壁外板若しくは後面壁外板の下部にある外板枠２２、又は補強材２６間に形成される溝に放射線遮蔽用シート２を配置し、上からベニヤ板等の受け板２８により覆う。図４ｂは、同様に床面を前後方向で切断したときの断面の概略図を示すものであるが、さらに受け板２８と補強材２６（図示せず）の上へステンレス等の金属製のプレート板３０を配置し、溶接により取り付ける。受け板２８の存在により、放射線遮蔽用シート２は溶接による損傷を受けない。プレート３０溶接後の床面全体の様子を図４ｃに示す。
【００２８】
荷台天蓋への放射線遮蔽シート２の取り付けについて説明する。１つの実施形態としての天蓋３２は、図５に示すように、側面壁上方に設置された天蓋開閉機構３４により開閉可能な天蓋である。ただし本発明におけるトラック用荷台は、屋根を備え周囲が密閉された６面体の箱型荷台及び上方が開放された無蓋の荷台を含むことに留意する。図５に示す天蓋３２は閉まっている状態であるが、天蓋３２は左右の蓋で分離されており、各蓋は車幅方向に延びる横桟（図示せず）により連結される。なお天蓋３２が開く際には、天蓋３２は左右の側面壁の外側に収納されるように構成される。よって左右に分離した各蓋に放射線遮蔽用シートの取り付けを行うが、前述の通り、天蓋に必要な放射線遮蔽用シートの枚数は他箇所と比較して少ない。したがって、放射線遮蔽用シート２を直接天蓋３２に固定することで取り付ける。具体的には、天蓋の車幅方向に延びる横桟に両面テープを付けることで放射線遮蔽用シート２を仮止めし、ポップ等の固定部材（図示せず）を貫通させて固定する。好ましくは、放射線遮蔽用シート２は、アルミニウム板等の金属板（図示せず）で挟んだものを取り付ける。
【００２９】
［荷台外観］
トラックの荷台は、前述の通り荷台の前面、後面及び側面がカバー材１４で覆われているため、図６に示すように、通常のトラックと外観上相違ないことが確認できる。したがって本発明により、通常のトラックと同等の外観を確保しつつ、除染によって発生した除去土壌等を運搬するトラック用荷台を提供することができる。
【００３０】
以上に説明してきた各実施例は、本発明を説明するための例示であり、本発明はこれらの実施例に限定されるものではない。例えば放射線遮蔽部材の取り付けは、箱型荷台のすべての面において実施するのが好ましいが、本発明は、少なくとも箱型荷台の前面、後面及び側面のうち少なくとも一面に放射線遮蔽部材を取り付けたものを含む。すなわち本発明は、その要旨を逸脱しない限り、種々の形態で実施することができる。
【符号の説明】
【００３１】
１  放射線遮蔽体
２  放射線遮蔽用シート
４  金属枠
６  固定具
８  フレーム
１０  外板
１２  補強材
１４  カバー材
１６  固定部材
１８  床板
２０  放射線遮蔽材
２２  外板枠
２４  支柱
２６  補強材
２８  受け板
３０  プレート板
３２  天蓋
３４  天蓋開閉機構
【要約】
【課題】市販の放射線遮蔽用シートを用いて放射線遮蔽効果を有する車両荷台の製造方法を提供する。
【解決手段】本発明は、放射線遮蔽効果を有するトラック用荷台製造方法であって、荷台の底面を形成する矩形状の床部をつくる工程と、底面上の周縁近傍において底面に対して垂直に矩形状の側面壁、前面壁及び後面壁を取り付ける工程と、前面壁、後面壁及び側面壁の外壁のうち少なくとも１つの外壁において、少なくとも底面と接触する下縁以外の周縁に沿って突出するように外壁フレームを取り付ける工程と、上記少なくとも１つの外壁の下にある床部の縁に床部フレームを取り付ける工程と、外壁フレーム及び床部フレームを含む矩形フレームに囲まれた上記少なくとも１つの外壁上に、放射線遮蔽効果を有する物質を含む放射線遮蔽部材を配置する工程と、フレーム及び放射線遮蔽部材を覆うカバー材を取り付ける工程と、を含む。
【選択図】図１ａ【図１ａ】
0005943365.tif 000003
【図１ｂ】
0005943365.tif 000004
【図１ｃ】
0005943365.tif 000005
【図２ａ】
0005943365.tif 000006
【図２ｂ】
0005943365.tif 000007
【図３ａ】
0005943365.tif 000008
【図３ｂ】
0005943365.tif 000009
【図３ｃ】
0005943365.tif 000010
【図３ｄ】
0005943365.tif 000011
【図３ｅ】
0005943365.tif 000012
【図４ａ】
0005943365.tif 000013
【図４ｂ】
0005943365.tif 000014
【図４ｃ】
0005943365.tif 000015
【図５】
0005943365.tif 000016
【図６】
0005943365.tif 000017